(57)【特許請求の範囲】
【請求項１】
表面に第１表示部と、第２表示部とを印刷し、
裏面に端部より所定の領域に非粘着領域と、非粘着以外の部分を粘着領域とを有し、
前記第１表示部と前記第２表示部を分割可能にしたミシン目を有するバーコードラベルにおいて、
前記ミシン目は、第１表示と第２表示部の間に配置し、バーコードラベルの幅より短い第１ミシン目部と、
第１ミシン目部と直交し、前記非粘着領域とは反対側で、第１表示部と重ならないように伸延する第２ミシン目部と、
を有するバーコードラベル。
【請求項２】
前記第２ミシン目部の第１ミシン目部と直交する側の端部に対する反対側の端部は、バーコードラベルの近い側の端に向かって湾曲するように構成したことを特徴とする請求項１記載のバーコードラベル。
【請求項３】
前記第２ミシン目部は、第１表示部を挟むように構成したことを特徴とする請求項１または２に記載のバーコードラベル。
【請求項４】
前記粘着領域は、第１表示部の裏面の領域で粘着力を強くし、第２表示部の裏面の領域で粘着力を弱くしたことを特徴とする請求項１から３のいずれかに記載のバーコードラベル。
【発明の詳細な説明】
【技術分野】
【０００１】
本発明は商品管理に使用されるバーコードラベルに関する。
【背景技術】
【０００２】
従来、エアバッグ用サテライトセンサやクラッシュゾーンセンサは、トレーサビリティを確保するために１つの製品に２枚のバーコードラベルが貼り付けられ、１枚を製品に貼り付けたまま出荷し、もう１枚のバーコードラベルは製品から剥がし、商品管理台帳に貼り付け保管していた。
【先行技術文献】
【特許文献】
【０００３】
【特許文献１】特開２０００−３５３２２４号公報
【発明の概要】
【発明が解決しようとする課題】
【０００４】
特許文献１では１枚のバーコードラベルにミシン目を入れ、ケース用バーコードと値札用バーコードに分割可能に構成されている。しかしながら、ミシン目が入っているだけなので、ケース用バーコードと値札用バーコードを分割する際に、ケース用バーコードと値札用バーコードが一緒に剥がれてしまったり、ケース用バーコードを破いてしまったりするという問題があった。
【０００５】
本発明は、このような従来技術の技術的課題に鑑みてなされたもので、一方のバーコードラベルの一方を剥がさずに、他方のバーコードラベルを剥がすことができるようにすることを目的とする。
【課題を解決するための手段】
【０００６】
第１の発明は、表面に第１表示部と、第２表示部とを印刷し、裏面に端部より所定の領域に非粘着領域と、非粘着以外の部分を粘着領域とを有し、前記第１表示部と前記第２表示部を分割可能にしたミシン目を有するバーコードラベルにおいて、
前記ミシン目は、第１表示と第２表示部の間に配置し、バーコードラベルの幅より短い第１ミシン目部と、第１ミシン目部と直交し、前記非粘着領域とは反対側で、第１表示部と重ならないように伸延する第２ミシン目部とを有するバーコードラベルである。
【０００７】
第２の発明は、第１の発明において、前記第２ミシン目部の第１ミシン目部と直交する側の端部に対する反対側の端部は、バーコードラベルの近い側の端に向かって湾曲するように構成したことを特徴とするバーコードラベル。
【０００８】
第３の発明は、第１または第２の発明において、前記第２ミシン目部は、第１表示部を挟むように構成したことを特徴とするバーコードラベルである。
【０００９】
第４の発明は、第１ないし第３の発明において、前記粘着領域は、第１表示部の裏面の領域で粘着力を強くし、第２表示部の裏面の領域で粘着力を弱くしたことを特徴とするバーコードラベルである。
【発明の効果】
【００１０】
第１の発明によれば、第１表示部が印刷されたバーコードラベルを剥がすことなく、第２表示部が印刷されたバーコードラベルを剥がすことができるという作用効果がある。
【００１１】
第２の発明によれば、第１表示部が印刷されたバーコードラベルと、第２表示部が印刷されたバーコードラベルを切り離す際に、ミシン目がバーコードラベルの端部に誘導されるようになっているため、表示部の損傷を防ぐことができるという作用効果がある。
【００１２】
第３の発明によれば、第１表示部を囲む４辺のうち、引き剥がされる方向に対して３辺にミシン目があるため、第１表示部を破くことがないという作用効果がある。
【００１３】
第４の発明によれば、第１表示部と第２表示部との間で、粘着力の差を設けたため、より、分割がしやすくなるようになるという効果がある。
【図面の簡単な説明】
【００１４】
【図１】本発明のバーコードラベルの表面を示す図である。
【図２】本発明のバーコードラベルの裏面を示す図である。
【図３】第２の実施例におけるバーコードラベルの表面を示す図である。
【図４】第２の実施例におけるバーコードラベルの裏面を示す図である。
【図５】第２の実施例におけるバーコードラベルの裏面の変形例を示す図である。
【図６】第２の実施例におけるバーコードラベルの裏面の２つ目の変形例を示す図である。
【発明を実施するための形態】
【００１５】
以下、添付図面を参照しながら本発明の実施形態について説明する。
（実施例１）
【００１６】
図１、２は、本発明のバーコードラベル１の図である。
【００１７】
図１は、バーコードラベル１の表面を正面から見た図であり、バーコードラベル１には、ミシン目４，５，６を境に製品に貼り付けられ、製品を識別するために印刷された第１表示部２と、製品を出荷する際に第１表示部と分割し、管理台帳に貼り付けされる第２表示部３がバーコードラベル１の表面に印刷されている。
【００１８】
図２は、バーコードラベル１の裏面を正面から見た図であり、バーコードラベル１の裏面には、第２表示部3の裏面に当たる部分の端部に、シール端部をつまみ易くするために非粘着領域を設けている。
【００１９】
また、バーコードラベル１の裏面の非粘着領域以外は、製品や管理台帳にバーコードラベル1が貼り付けられるように第１粘着領域８、第２粘着領域９を設けている。
【００２０】
バーコードラベル１は、バーコードラベル１を２つのバーコードラベルに分割するために、ミシン目４，５，６が設けられている。
【００２１】
ミシン目は、非粘着部領域７と平行に設けられ、バーコードラベル１の幅より短く設定された第１ミシン目部４と、第１ミシン目部４と直交し非粘着部とは反対側で、第１表示部２とは重ならないように伸延する第２ミシン目部５と、第２ミシン目部５の端部からバーコードラベル端部に向かって湾曲する湾曲部６からなっている。
【００２２】
これらの構成により、第１表示部２が印刷されたバーコードラベル１を剥がすことなく、第２表示部３が印刷されたバーコードラベル１を剥がすことができるという作用効果がある。
【００２３】
尚、第１ミシン目部４と第２ミシン目部５の交差部は緩やかなＲで交差させ、Ｒ部にはミシン目のつなぎ部がかからないように設定すると、第１表示部２と第２表示部３を分割する際に第１表示部２が印刷されたバーコードラベルの角部が製品に貼り付いたまま、第２表示部３が印刷されたバーコードラベルを剥がすことができるために、よりいっそう綺麗に分割することが出来る。
（第２実施例）
【００２４】
図３、図４は、本発明の第２実施例である。先に説明した第１実施例で示した構成と同一、又は、均等な構成においては、同一符号を付して、その詳細説明は省略する。
【００２５】
第２の実施例においては、第１の実施例とは、ミシン目の形状が異なる。具体的には、図３、図４に示すように、第１ミシン目部４をバーコードラベル１の幅方向中央部で、第１表示部２の大きさより長く設けている。
【００２６】
第２ミシン目部５は、第１ミシン目部４の始点と終点から第１表示２を囲むようにそれぞれ平行に設けている。
【００２７】
そして、２本の第２ミシン目部５の端部には、バーコードラベル１の端部に向かって延びる湾曲部がそれぞれ設けられている。
【００２８】
これらの構成により、第１表示部２が印刷されたバーコードラベル１を剥がすことなく、第２表示部３が印刷されたバーコードラベル１を剥がすことができると共に、第１表示部２の３つの辺にミシン目を設けているために、バーコードラベル１を剥がす際に、第１表示部を破損することもないという作用効果がある。
（変形例）
【００２９】
図５、図６は、本発明の変形例である。先に説明した第１実施例、第２実施例で示した構成と同一、又は、均等な構成においては、同一符号を付して、その詳細説明は省略する。
【００３０】
変形例においては、第１の実施例、第２の実施例とは、バーコードラベルの裏面に設けた粘着領域の粘着力が異なる、具体的には、図５、に示すように第２粘着領域９の粘着力を第１粘着領域８の粘着力より弱い粘着材を設けるようにした。
【００３１】
また、図６においては、第２粘着領域９の一部を非粘着部として、単位面積当たりの粘着力を第１粘着領域８よりも弱くするようにした。
【００３２】
その際、バーコードラベル１の外周が非粘着部になると、バーコードラベル１が剥がれ易くなるため、バーコードラベル１の外周は粘着部とすることが好ましい。
【００３３】
これらの構成により、第２表示部３が印刷されたバーコードラベル１を剥がす易くすると共に、第１表示部２が印刷されたバーコードラベル１が剥がされにくくなるという作用効果がある。
【００３４】
以上、図面を参照して、本発明の実施の形態及び実施例１，２のバーコードラベルを詳述してきたが、具体的な構成は、この実施の形態及び実施例１，２のバーコードラベルに限らず、本発明の要旨を逸脱しない程度の設計的変更は、本発明に含まれる。
【００３５】
例えば、バーコードラベル１を分割する際のミシン目を連続したスリットにすること等に変更することのも可能である。
【符号の説明】
【００３６】
１    バーコードラベル
２    第１表示部
３    第２表示部
４    第１ミシン目部
５    第２ミシン目部
６    湾曲部
７    非粘着領域（つまみ部）
８    第１粘着領域
９    第２粘着領域
【図１】
0005419285.tif 000002
【図２】
0005419285.tif 000003
【図３】
0005419285.tif 000004
【図４】
0005419285.tif 000005
【図５】
0005419285.tif 000006
【図６】
0005419285.tif 000007